(57)【要約】【課題】構造が簡単で安価であり、コード同士を絡まずに連結することができ、一つのコードに常時取り付けておくことができるので、紛失し難いコード連結具を提供する。【解決手段】コード連結具１は、弾性素材によって形成され、第１の係止凹部２と第２の係止凹部１２を有する。第１の係止凹部２は、一対の側壁５，６によって形成され、一対の側壁５，６の上部に一つのコードＣ１を外れ難くするための係止爪７，８が形成されている。第２の係止凹部１２は、前記一対の側壁５，６の内の一方の側壁５と、他のコードＣ２を一方の側壁５に押し付ける押圧壁１６とによって形成されている。押圧壁１６には、素材の弾性に抗して、押圧壁１６を一方の側壁５から離れる方向に撓ませることができる指掛け片２０が形成されている。【選択図】        図１
2004222444.tif 000002
【特許請求の範囲】
【請求項１】
弾性素材によって形成され、少なくとも２本のコードを連結するものであって、第１の係止凹部と、第１の係止凹部に隣接された第２の係止凹部を有し、
第１の係止凹部は、一対の側壁によって形成され、一対の側壁の上部に一つのコードを外れ難くするための係止爪が形成され、
第２の係止凹部は、前記一対の側壁の内の一方の側壁と、他のコードを一方の側壁に押し付ける押圧壁とによって形成されていることを特徴とするコード連結具。
【請求項２】
押圧壁には、素材の弾性に抗して、押圧壁を一方の側壁から離れる方向に撓ませることができる指掛け片が形成されていることを特徴とする請求項１記載のコード連結具。
【発明の詳細な説明】
【０００１】
【発明の属する技術分野】
本願発明は、電気製品の複数の電気コードを束ね、電気コードを整理することができるコード連結具に関する。
【０００２】
【従来の技術】
従来のコード連結具は、束ねた電気コードをバンド部で巻回し、該バンド部の両端に設けられた係合鉤部を引っ掛け合い、電気コードを纏めていた（例えば、特許文献１）。
【０００３】
【特許文献１】
特開平９−６６９６０号公報
【０００４】
【発明が解決しようとする課題】
上記従来のコード連結具は、電気コードを束ねた状態で巻回して連結するので、絡みやすく、発熱し易いという問題点があった。また、不使用時には、電気コードから取り外されているので、紛失しやすいという問題点があった。
【０００５】
本願発明は、上記問題点に鑑み発明されたものであって、構造が簡単で安価であり、コード同士を接触させないで連結することができるので、絡まず、発熱することがなく、また一つのコードに常時取り付けておくことができるので、紛失し難いコード連結具を提供することを目的とする。
【０００６】
【課題を解決するための手段】
本願請求項１記載のコード連結具は、上記目的を達成するため、弾性素材によって形成され、少なくとも２本のコードを連結するものであって、第１の係止凹部と、第１の係止凹部に隣接された第２の係止凹部を有し、第１の係止凹部は、一対の側壁によって形成され、一対の側壁の上部に一つのコードを外れ難くするための係止爪が形成され、第２の係止凹部は、前記一対の側壁の内の一方の側壁と、他のコードを一方の側壁に押し付ける押圧壁とによって形成されている。
【０００７】
本願請求項２記載のコード連結具は、上記目的を達成するため、押圧壁には、素材の弾性に抗して、押圧壁を一方の側壁から離れる方向に撓ませることができる指掛け片が形成されている。
【０００８】
【発明の実施の形態】
本願発明に係るコード連結具の実施の形態を、図１乃至図５に基づいて説明する。図１は、本願発明に係るコード連結具の一つの実施の形態を示す全体斜視図である。図２は、図１のコード連結具を正面から視た全体正面図である。図３，４は、図１のコード連結具の使用状態を示す説明図である。図５は、本願発明に係るコード連結具の他の実施の形態を示す全体正面図である。
【０００９】
コード連結具１は、弾性素材によって形成され、少なくとも２本のコードＣ１，Ｃ２を連結するものであって、第１の係止凹部２と、第１の係止凹部２に隣接された第２の係止凹部１２を有する。第１の係止凹部２は、一対の側壁５，６によって形成され、一対の側壁５，６の上部に一つのコードＣ１を外れ難くするための係止爪７，８が形成されている。
【００１０】
第２の係止凹部１２は、前記一対の側壁５，６の内の一方の側壁５と、他のコードＣ２を一方の側壁５に押し付ける押圧壁１６とによって形成されている。押圧壁１６には、素材の弾性に抗して、押圧壁１６を一方の側壁５から離れる方向に撓ませることができる指掛け片２０が形成されている。
【００１１】
さらにコード連結具について詳細に説明する。コード連結具１は、合成ゴム、合成樹脂素材（例えば、ポリエチレン樹脂、ポリウレタン樹脂）等の弾性素材によって一体形成されている。コード連結具１は、少なくとも２本のコードＣ１，Ｃ２を連結する第１の係止凹部２と第２の係止凹部１２を有する。第１の係止凹部２と第２の係止凹部１２は、隣接されて設けられている。
【００１２】
第１の係止凹部２は、底壁３と、底壁３の両側に略直角に設けられた一対の側壁５，６によって、上部が開放された形で形成されている。一対の側壁５，６の相対する面上部には、係止爪７，８が形成されている。係止爪７，８は、上部にテーパ面７ａ，８ａが形成され、下部に係止面７ｂ，８ｂが形成されている。
【００１３】
テーパ面７ａ，８ａは、第１の係止凹部２の内側に向かって下降傾斜している。係止面７ｂ，８ｂは、側壁５，６と略直角となっている。底壁３の上面には、一対の側壁５，６が拡開し易くなるように、略半円状の長溝９が側壁５，６と略平行に設けられている。
【００１４】
第２の係止凹部１２は、底壁１３と、前記側壁５と押圧壁１６によって、上部が開放された形で形成されている。底壁１３は、前記底壁３が延長するようにして形成されている。側壁５の係止爪７とは反対側の面の上部には、湾曲部１７が形成されている。
【００１５】
押圧壁１６は、底壁１３の端部から緩やかな曲線を描くようにして半円状に形成され、上端に指掛け片２０が形成されている。指掛け片２０は、側壁５と略平行で、上方に突出して形成されている。底壁１３の上面には、押圧壁１６が拡開し易くなるように、略半円状の長溝１９が側壁５と略平行に設けられている。
【００１６】
本実施の形態では、第１の係止凹部２が第２の係止凹部１２より小さく形成され、第１の係止凹部２に取り付けられるコードＣ１の方が第２の係止凹部１２に取り付けられるコードＣ２より小さくなっているが、特にこれに限定されるものではない。
【００１７】
例えば、第１の係止凹部２を第２の係止凹部１２より大きく形成し、第１の係止凹部２に取り付けられるコードＣ１の方を第２の係止凹部１２に取り付けられるコードＣ２より大きくすることができる。また、第１の係止凹部２を第２の係止凹部１２と同じ大きさに形成し、第１の係止凹部２に取り付けられるコードＣ１と第２の係止凹部１２に取り付けられるコードＣ２の大きさを同じにすることもできる。
【００１８】
コード連結具１は、コードＣ１を第１の係止凹部２の上部開放部４から押し込むと、コードＣ１が係止爪７，８のテーパ面７ａ，８ａと接触して側壁５，６を素材の弾性に抗して拡げ、コードＣ１を第１の係止凹部２内に完全に押し込めると、コードＣ１が係止爪７，８のテーパ面７ａ，８ａと接触しなくなるので、側壁５，６が素材の弾性により元の状態に復帰する。コードＣ１を第１の係止凹部２から外そうとしても、コードＣ１の上縁両側が係止爪７，８の係止面７ｂ，８ｂに係止されるので、外すのが極めて難しい。
【００１９】
第２の係止凹部１２は、指掛け片２０に指を掛けて手前に引っ張ることにより、押圧壁１６が側壁５から離れ、上部開放部１４が拡がり、この上部開放部１４からコードＣ２を嵌挿することができる。指掛け片２０から指を外すと、押圧壁１６が素材の弾性により元の状態に復帰しようとし、コードＣ２を押圧し、コードＣ２が側壁５に押し付けられる。側壁５は、拡がり難くなるため、コードＣ１がより一層外れ難くなる。
【００２０】
コード連結具１は、手などで力を加えることで、コードＣ１に沿って摺動させることができるので、コードＣ２との連結位置を任意の位置に設定することが出来る。指掛け片２０に指を掛けて手前に引っ張ると、上部開放部１４が拡がり、第２の係止凹部１２の上部開放部１４からコードＣ２を抜脱することができる。第２の係止凹部１２には、第１の係止凹部２と異なり、コードＣ２の脱抜を阻止する係止爪が設けられていないので、コードＣ２を簡単に外すことが出来る。
【００２１】
コード連結具１は、図３，４に示すように使用することができる。Ａは、マイク型発音装置であって、電源コードＣ１とＡＶコードＣ２が接続されている。電源コードＣ１とＡＶコードＣ２の３箇所をコード連結具１で連結することによって、絡まずに束ねることができ、外観をすっきりさせて、歌いやすくなり、またマイク型発音装置Ａから外れ難くなっている。上記したように、ＡＶコードＣ２が指掛け片２０を引っ張ることにより簡単に外せるので片付けが非常に便利である。また、コード連結具１は電源コードＣ１から外れ難いのでコード連結具１の紛失を予防することができる。さらにＡＶコードＣ２を取り付けると、押圧壁１６の素材の弾性によりＡＶコードＣ２が電源コードＣ１側の側壁に押し付けられるので該側壁は広がりがたくなるため、電源コードＣ１をコード連結具１からより外れ難くすることができる。
【００２２】
なお、上記実施の形態では、コード連結具１は、手でコード連結具１に直接力を加えればコードＣ１に沿って摺動可能ではあるが、例えばコードＣ１を振る等、間接的に力を加えた場合は摺動しない程度に第１の係止凹部２によりコードＣ１に強く固定されることになる。
【００２３】
上記実施の形態では、コード連結具１は、コードＣ１，Ｃ２を連結する第１の係止凹部２と第２の係止凹部１２をそれぞれひとつずつ備えたが、これに限定されるものではなく、図５に示すように、第１の係止凹部２を２つ以上、第２の係止凹部１２を両側に２つ備えるようにしても構わない。
【００２４】
【発明の効果】
以上説明してきたように、本願請求項１，２記載のコード連結具は、構造が簡単で安価であり、少なくとも２本のコードを連結する第１の係止凹部と第２の係止凹部を有するので、コード同士を接触させないで連結することができ、絡まず、発熱することがないという効果がある。また、第１の係止凹部を形成する一対の側壁に係止爪が形成されているので、一つのコードから外れ難くなっており、一つのコードに常時取り付けていられるので、紛失を防止をすることができるという効果がある。
【００２５】
第２の係止凹部は、第１の係止凹部に隣接され、一対の側壁の内の一方の側壁と、他のコードを一方の側壁に押し付ける押圧壁とによって形成されているので、他のコードを嵌挿すると、押圧壁によってコードが側壁に押し付けられ、側壁が拡がり難くなるため、第１の係止凹部から一つのコードがより一層外れ難くなるという効果がある。また、一つのコードに沿って摺動させることができるので、他のコードとの連結位置を任意の位置に設定することが出来るという効果がある。
【００２６】
本願請求項２記載のコード連結具は、押圧壁に、素材の弾性に抗して、押圧壁を一方の側壁から離れる方向に撓ませることができる指掛け片が形成されているので、他のコードの嵌脱を容易に行うことが出来るという効果がある。
【図面の簡単な説明】
【図１】本願発明に係るコード連結具の一つの実施の形態を示す全体斜視図である。
【図２】図１のコード連結具を正面から視た全体正面図である。
【図３】図１のコード連結具の使用状態を示す説明図である。
【図４】図１のコード連結具の使用状態を示す説明図である。
【図５】本願発明に係るコード連結具の他の実施の形態を示す全体正面図である。
【符号の説明】
Ａ  マイク型発音装置
Ｃ１  一つのコード（電源コード）
Ｃ２  他のコード（ＡＶコード）
１  コード連結具
２  第１の係止凹部
３  底壁
４  上部開放部
５  側壁
６  側壁
７  係止爪
７ａ  テーパ面
７ｂ  係止面
８  係止爪
８ａ  テーパ面
８ｂ  係止面
９  長溝
１２  第２の係止凹部
１３  底壁
１４  上部開放部
１６  押圧壁
１７  湾曲部
１９  長溝
２０  指掛け片
【図１】
2004222444.tif 000003
【図２】
2004222444.tif 000004
【図３】
2004222444.tif 000005
【図４】
2004222444.tif 000006
【図５】
2004222444.tif 000007